(57)【要約】【課題】対向放電によって輝度表示を行うＰＤＰにおいて、輝度表示品質の向上を図ることが出来るようにする。【解決手段】ＰＤＰの各放電セルＣ内において行電極対（Ｘ，Ｙ）の一方の行電極Ｙとの間で放電空間を介した対向放電を発生させるための複数の列電極列電極Ｄ（Ｒ），Ｄ（Ｇ），Ｄ（Ｂ）のうち、所要の列電極の行電極Ｙに対向する部分に拡幅部Ｄ（Ｒ）ｂ，Ｄ（Ｒ）ｃ，Ｄ（Ｇ）ｂ，Ｄ（Ｇ）ｃが形成され、この拡幅部Ｄ（Ｒ）ｂ，Ｄ（Ｒ）ｃ，Ｄ（Ｇ）ｂ，Ｄ（Ｇ）ｃの面積が、放電セルＣのパネル面内の位置に対応して異なる大きさに設定されている。【選択図】図２
2008171738.tif 000002
【特許請求の範囲】
【請求項１】
放電空間を介して対向される第１基板および第２基板によってパネル面が構成され、第１基板の背面側に行方向に延び列方向に並設された複数の行電極対が設けられ、第２基板の第１基板と対向する側に、列方向に延び行方向に並設されて行電極対と交差する部分の放電空間にそれぞれ単位発光領域を構成するとともに各単位発光領域内において行電極対の一方の行電極との間で放電空間を介した対向放電を発生させるための複数の列電極が設けられているプラズマディスプレイパネルにおいて、
前記行方向に並設された複数の列電極のうち所要の列電極の一方の行電極に対向する部分の面積が、単位発光領域のパネル面内の位置に対応して異なる大きさに設定されていることを特徴とするプラズマディスプレイパネル。
【請求項２】
前記列電極の一方の行電極に対向する部分の面積が、パネル面の中央部分において最も大きく、パネル面の周縁側にゆくにしたがって小さくなっている請求項１に記載のプラズマディスプレイパネル。
【請求項３】
前記パネル面が、中央部分と、この中央部分の周囲を囲む中間部分と、この中間部分の周囲を囲む周縁部分の三つの部分に区分され、このパネル面の三つの部分内に位置する単位発光領域における列電極の一方の行電極に対向する部分の面積が、中央部分において最も大きく、中間部分，周縁部分の順に小さくなる三つの大きさに設定されている請求項１に記載のプラズマディスプレイパネル。
【請求項４】
前記列電極の一方の行電極に対向する部分に任意に行方向の幅が他の部分よりも大きい拡幅部が形成されて、この拡幅部によって、列電極の一方の行電極に対向する部分の面積が設定される請求項１に記載のプラズマディスプレイパネル。
【請求項５】
前記行電極対を構成する各行電極が、行方向に延びる行電極本体部と、それぞれ単位発光領域に対向する位置において行電極本体部から対になっている他方の行電極側に列方向に突出して互いに対になっている他方の側と放電ギャップを介して対向される複数の行電極突出部を有し、
前記列電極の拡幅部が、一方の行電極の行電極突出部の放電ギャップ側先端部分を含む領域に対向されている請求項４に記載のプラズマディスプレイパネル。
【請求項６】
赤色の蛍光体層が形成された単位発光領域と緑色の蛍光体層が形成された単位発光領域と青色の蛍光体層が形成された単位発光領域の三つの単位発光領域によって一画素が構成され、この一画素を構成する単位発光領域のうち、任意の色の蛍光体層が形成された単位発光領域に対向する列電極の一方の行電極に対向する部分の面積が、単位発光領域のパネル面内の位置に対応して異なる大きさに設定されている請求項１に記載のプラズマディスプレイパネル。
【請求項７】
前記一方の行電極に対向する部分の面積が単位発光領域のパネル面内の位置に対応して異なる大きさに設定される列電極が、赤色の蛍光体層が形成された単位発光領域に対向される列電極である請求項６に記載のプラズマディスプレイパネル。
【請求項８】
前記一方の行電極に対向する部分の面積が単位発光領域のパネル面内の位置に対応して異なる大きさに設定される列電極が、緑色の蛍光体層が形成された単位発光領域に対向される列電極である請求項６に記載のプラズマディスプレイパネル。
【請求項９】
前記一方の行電極に対向する部分の面積が単位発光領域のパネル面内の位置に対応して異なる大きさに設定される列電極が、赤色の蛍光体層が形成された単位発光領域と緑色の蛍光体層が形成された単位発光領域にそれぞれ対向される列電極であり、青色の蛍光体層が形成された単位発光領域に対向される列電極は、一方の行電極に対向する部分の面積が一定である請求項６に記載のプラズマディスプレイパネル。
【請求項１０】
前記赤色の蛍光体層が形成された単位発光領域と緑色の蛍光体層が形成された単位発光領域と青色の蛍光体層が形成された単位発光領域にそれぞれ対向される何れの列電極も、一方の行電極に対向する部分の面積が単位発光領域のパネル面内の位置に対応して異なる大きさに設定されている請求項９に記載のプラズマディスプレイパネル。
【発明の詳細な説明】
【技術分野】
【０００１】
この発明は、プラズマディスプレイパネルの電極の構成に関する。
【背景技術】
【０００２】
近年、プラズマディスプレイパネル（以下、ＰＤＰという）には、輝度の階調表示を行電極対を構成する行電極間で行われる面放電によって行う他、行電極と列電極との間で行われる対向放電によっても行うものが開発されている。
【０００３】
しかしながら、一般に、ＰＤＰは、パネルの面放電と対向放電の放電強度の面内分布が異なっており、対向放電にはパネル面において放電強度にばらつきが生じる。
【０００４】
この対向放電の面内ばらつきは、行電極対を被覆する誘電体層上に形成されるＭｇＯ層の２次電子放出特性のパネル面内における斑などに起因しているものと推測され、一般に、パネルの表示領域の中央部において発生される対向放電の強度が周縁部に比べてが弱くなる傾向を有している。
【０００５】
従って、このような輝度階調表示を行電極間の面放電に加えて行電極と列電極間の対向放電によっても行うようなＰＤＰの場合、パネル面内での対向放電の放電強度のばらつきによって、例えば黒輝度等の表示品質が低下するといった問題が生じる。
【０００６】
従来のＰＤＰには、行電極に対向する列電極の面積が赤，緑，青の放電セルで互いに異なっているもの（例えば、特許文献１参照）や、列電極の幅をパネル周辺部において広くしたもの（例えば、特許文献２参照）があるが、前者のＰＤＰは、放電セル内の蛍光体層を形成する赤，緑，青の蛍光材料の各色間の帯電特性の違いによって生じる放電特性のばらつきを抑制するためのものであり、後者のＰＤＰは、パネルの表示領域周縁部での列電極の放電セルに対する位置精度に起因する誤放電や放電の不発の発生を防止するためのものである。
【０００７】
このため、この従来のＰＤＰの何れも、それぞれの構成によっては、上記のような輝度階調表示を行電極と列電極間の対向放電によって行うＰＤＰにおける対向放電の放電強度の面内のばらつきに起因する輝度表示の品質低下の問題を解決することは出来ない。
【０００８】
【特許文献１】特開２００３−１６９４４号公報
【特許文献２】特開２００６−２１６２５４号公報
【発明の開示】
【発明が解決しようとする課題】
【０００９】
この発明は、上記のような輝度階調表示が行電極と列電極間の対向放電によって行われるＰＤＰにおける従来の問題点を解決することをその技術的課題の一つとしている。
【課題を解決するための手段】
【００１０】
この発明（請求項１に記載の発明）によるＰＤＰは、上記目的を達成するために、放電空間を介して対向される第１基板および第２基板によってパネル面が構成され、第１基板の背面側に行方向に延び列方向に並設された複数の行電極対が設けられ、第２基板の第１基板と対向する側に、列方向に延び行方向に並設されて行電極対と交差する部分の放電空間にそれぞれ単位発光領域を構成するとともに各単位発光領域内において行電極対の一方の行電極との間で放電空間を介した対向放電を発生させるための複数の列電極が設けられているＰＤＰにおいて、前記行方向に並設された複数の列電極のうち所要の列電極の一方の行電極に対向する部分の面積が、単位発光領域のパネル面内の位置に対応して異なる大きさに設定されていることを特徴としている。
【発明を実施するための最良の形態】
【００１１】
この発明によるＰＤＰは、放電空間を介して対向される前面ガラス基板および背面ガラス基板によってパネル面が構成され、前面ガラス基板の背面側に行方向に延び列方向に並設された複数の行電極対が設けられ、背面ガラス基板の前面ガラス基板と対向する側に、列方向に延び行方向に並設されて行電極対と交差する部分の放電空間にそれぞれ放電セルを構成するとともに各放電セル内において行電極対の一方の行電極との間で放電空間を介した対向放電を発生させるための複数の列電極が設けられ、行方向に並設された複数の列電極のうち所要の列電極の一方の行電極に対向する部分の面積が、放電セルのパネル面内の位置に対応して異なる大きさに設定されているＰＤＰをその最良の実施形態としている。
【００１２】
この実施形態によるＰＤＰは、例えば、リセット放電やアドレス放電（選択消去放電）などの行電極対の一方の行電極と列電極間で発生される対向放電のみが生じる黒輝度表示を行うＰＤＰにおいて、従来はパネル面内の放電セルの位置によって対向放電の放電強度が異なるような場合に、行方向に並設された複数の列電極のうち所要の列電極の一方の行電極に対向する部分の面積が放電セルのパネル面内の位置に対応して異なる大きさに設定されるので、対向放電の放電強度の面内ばらつきを補正して、この対向放電の放電強度をパネル面の全面に亘ってほぼ均一にすることが出来、これによって、この対向放電によって行われる輝度表示に面内斑が発生するのを抑制して、ＰＤＰの輝度表示品質の向上を図ることが出来るようになる。
【００１３】
そして、このＰＤＰによれば、列電極側において一方の行電極との対向面積をパネル面内における放電セルの位置に対応した大きさに設定するようにしたことによって、行電極側で対向面積の調整を行う場合に比べて、行電極間で行われる面放電の放電強度が影響を受けるのを防止することが出来る。
【００１４】
上記実施形態のＰＤＰにおいて、この列電極の一方の行電極に対向する部分の面積の設定の態様としては、列電極の一方の行電極に対向する部分の面積が、パネル面の中央部分において最も大きく、パネル面の周縁側にゆくにしたがって小さくなる態様、例えば、パネル面が、中央部分とこの中央部分の周囲を囲む中間部分とこの中間部分の周囲を囲む周縁部分の三つの部分に区分され、このパネル面の三つの部分内に位置する放電セルにおける列電極の一方の行電極に対向する部分の面積が、中央部分において最も大きく、中間部分，周縁部分の順に小さくなる三つの大きさに設定されている態様が挙げられる。
【００１５】
この実施態様のＰＤＰは、パネル面の周縁部分におけるよりも中央側の方が対向放電の放電強度が弱くなる傾向の面内ばらつきを有するＰＤＰにおいて、対向放電の放電強度の面内ばらつきを補正して、この対向放電の放電強度をパネル面の全面に亘ってほぼ均一にすることが出来る。
【００１６】
上記実施形態のＰＤＰにおいて、列電極の一方の行電極に対向する部分の面積を設定する態様としては、列電極の一方の行電極に対向する部分に任意に行方向の幅が他の部分よりも大きい拡幅部を形成して、この拡幅部の面積を所要の大きさに設定する態様が挙げられる。
【００１７】
そして、この拡幅部は、例えば、行方向に延びる行電極本体部とそれぞれ放電セルに対向する位置において行電極本体部から対になっている他方の行電極側に列方向に突出して互いに対になっている他方の側と放電ギャップを介して対向される複数の行電極突出部の放電ギャップ側先端部分を含む領域に対向される。
【００１８】
上記実施形態のＰＤＰにおいて、一画素を構成する赤色の蛍光体層が形成された放電セルと緑色の蛍光体層が形成された放電セルと青色の蛍光体層が形成された放電セルの三つの放電セルのうち、任意の色の蛍光体層が形成された放電セルに対向する列電極の一方の行電極に対向する部分の面積が、放電セルのパネル面内の位置に対応して異なる大きさに設定され、例えば、赤色の蛍光体層が形成された放電セルに対向される列電極のみの場合や、緑色の蛍光体層が形成された放電セルに対向される列電極のみの場合、赤色の蛍光体層が形成された放電セルと緑色の蛍光体層が形成された放電セルにそれぞれ対向される列電極の場合で、青色の蛍光体層が形成された放電セルに対向される列電極は一方の行電極に対向する部分の面積が一定の場合、全ての列電極の場合などの態様がある。
【００１９】
すなわち、蛍光体層を形成する赤，緑，青の蛍光材料の放電特性の違いによって、対向放電の放電強度の面内ばらつきが大きい色の蛍光体層が形成されている放電セルに対向する列電極の一方の行電極に対向する部分の面積が放電強度の面内ばらつきに対応して設定されることによって、対向放電の放電強度をパネル面の全面に亘ってほぼ均一にされる。
【実施例１】
【００２０】
以下においては、行電極と列電極との間で発生される対向放電が、図１に示されるようなパネル表示領域内の放電強度分布を有するＰＤＰを例に挙げて説明を行う。
【００２１】
この図１において、パネル表示領域Ｐは、楕円形の中央部分Ｐ１における対向放電の放電強度が最も弱く、この中央部分Ｐ１の周囲を取り巻く楕円形のドーナツ状の中間部分Ｐ２における対向放電の放電強度は中央部分Ｐ１よりも強くなっており、この中間部分Ｐ２を取り巻くパネル表示領域Ｐの周縁部分Ｐ３における対向放電の強度が最も強くなっている。
【００２２】
図２ないし５は、この発明によるＰＤＰの第１実施例を示しており、図２はＰＤＰのパネル表示領域Ｐの中央部分Ｐ１（図１参照）のパネル構成を示す正面図であり、図３は同じくパネル表示領域Ｐの中間部分Ｐ２のパネル構成を示す正面図、図４は同じくパネル表示領域Ｐの周縁部分Ｐ３のパネル構成を示す正面図、図５は図２のＶ−Ｖ線における断面図である。
【００２３】
この図２ないし５において、ＰＤＰは、表示面である前面ガラス基板１の背面に、複数の行電極対（Ｘ，Ｙ）が、前面ガラス基板１の行方向（図２〜４の左右方向）に延びるとともに列方向（図２〜４の上下方向）に並設されている。
【００２４】
行電極Ｘは、それぞれ、前面ガラス基板１の行方向に延びる金属膜からなるバス電極Ｘａと、このバス電極Ｘａの等間隔位置に接続されてバス電極Ｘａから列方向に突出するＩＴＯ等の透明導電膜によってＴ字形状に成形された透明電極Ｘｂとによって構成されている。
【００２５】
行電極Ｙも同様に、それぞれ、前面ガラス基板１の行方向に延びる金属膜からなるバス電極Ｙａと、このバス電極Ｙａの等間隔位置に接続されてバス電極Ｙａから列方向に突出するＩＴＯ等の透明導電膜によってＴ字形状に成形された透明電極Ｙｂとによって構成されている。
【００２６】
そして、この行電極ＸとＹは、前面ガラス基板１の列方向（図２〜４の上下方向）に交互に配置されており、バス電極ＸａとＹａに沿って等間隔に並列されたそれぞれの透明電極ＸｂとＹｂが、互いに対になる相手の行電極側に延びて、それぞれの幅広の先端部が所要の幅の放電ギャップｇを介して対向されている。
【００２７】
前面ガラス基板１の背面側には、さらに、行電極対（Ｘ，Ｙ）を被覆する誘電体層２が形成され、さらに、この誘電体層２の背面上に、この誘電体層２の背面を被覆する図示しない保護層が形成されている。
【００２８】
前面ガラス基板１と放電空間を介して平行に配置された背面ガラス基板３の前面ガラス基板１と対向する側の面上には、複数の列電極Ｄが、各行電極対（Ｘ，Ｙ）の互いに対になった透明電極ＸｂおよびＹｂにそれぞれ対向する位置においてバス電極Ｘａ，Ｙａと直交する方向（列方向）に延びるように、互いに所定の間隔を開けて平行に配列されている。
この列電極Ｄの構成については後で詳述する。
【００２９】
背面ガラス基板３の前面ガラス基板１に対向する側の面上には、さらに、列電極Ｄを被覆する列電極保護層（誘電体層）４が形成され、この列電極保護層４上に、下記のような形状を有する隔壁５が形成されている。
【００３０】
すなわち、この隔壁５は、前面ガラス基板１側から見て、隣接する行電極対（Ｘ，Ｙ）の互いに背中合わせに位置するバス電極ＸａとＹａの間の領域に対向する位置においてそれぞれ行方向に延びる横壁５Ａと、行電極Ｘ，Ｙのバス電極Ｘａ，Ｙａに沿って等間隔に配置された各透明電極Ｘｂ，Ｙｂの間の位置においてそれぞれ列方向に延びる縦壁５Ｂとによって、略格子形状に成形されている。
【００３１】
そして、この隔壁５によって、前面ガラス基板１と背面ガラス基板３の間の放電空間が、それぞれ、互いに対向されて対になっている透明電極Ｘｂ，Ｙｂに対向する領域ごとに区画されて放電セルＣが形成されている。
【００３２】
各放電セルＣ内の放電空間に面する隔壁５の横壁５Ａと縦壁５Ｂの各側面と列電極保護層４の表面には、これらの五つの面をほぼ全て覆うように蛍光体層６が形成されており、この蛍光体層６の色が各放電セルＣ毎に赤，緑，青の色が行方向に順に並ぶように配列されていて、図２ないし４に示されるように、行方向に隣接して並ぶ赤色の蛍光体層６が形成された赤色放電セルＣ（Ｒ）と緑色の蛍光体層６が形成された緑色放電セルＣ（Ｇ）と青色の蛍光体層６が形成された青色放電セルＣ（Ｂ）の三つの放電セルＣによって一画素が構成されている。
【００３３】
そして、この実施例においては、赤色放電セルＣ（Ｒ）と緑色放電セルＣ（Ｇ），青色放電セルＣ（Ｂ）が、それぞれ同じ色の放電セルが列方向に並ぶように配置されている。
放電セルＣ内には、キセノンを含む放電ガスが封入されている。
【００３４】
次に、パネル表示領域Ｐの中央部分Ｐ１，中間部分Ｐ２，周縁部分Ｐ３における列電極Ｄの構成について説明を行う。
【００３５】
列方向に並んだ青色放電セルＣ（Ｂ）に対向する列電極Ｄ（Ｂ）は、パネル表示領域Ｐの中央部分Ｐ１，中間部分Ｐ２，周縁部分Ｐ３に対向する全ての部分において、一定の行方向の幅を有する帯形状に形成されている。
【００３６】
列方向に並んだ赤色放電セルＣ（Ｒ）に対向する列電極Ｄ（Ｒ）には、図２のパネル表示領域Ｐの中央部分Ｐ１において、各赤色放電セルＣ（Ｒ）に対向する部分毎に、行電極Ｙの透明電極Ｙｂの幅広の先端部分に対向する部分に、列方向に帯状に延びる列電極本体部Ｄ（Ｒ）ａの行方向の幅ｄ１よりも大きい行方向の幅ｄ２を有する拡幅部Ｄ（Ｒ）ｂが形成されている。
【００３７】
さらに、この列電極Ｄ（Ｒ）には、図３のパネル表示領域Ｐの中間部分Ｐ２において、各赤色放電セルＣ（Ｒ）に対向する部分毎に、行電極Ｙの透明電極Ｙｂの幅広の先端部分に対向する部分に、中央部分Ｐ１における拡幅部Ｄ（Ｒ）ｂよりも面積が小さい拡幅部Ｄ（Ｒ）ｃが形成されている。
【００３８】
なお、この拡幅部Ｄ（Ｒ）ｃは透明電極Ｙｂとの対向面積が小さくなればよく、このために、拡幅部Ｄ（Ｒ）ｃの行方向の幅と列方向の幅の一方または双方が、中央部分Ｐ１における拡幅部Ｄ（Ｒ）ｂの行方向の幅または列方向の幅よりも小さくなっていればよい（図示の例では、行方向および列方向ともに中央部分Ｐ１におけるよりも幅が小さくなっている）。
【００３９】
そして、この列電極Ｄ（Ｒ）の図４のパネル表示領域Ｐの周縁部分Ｐ３に位置する部分は、各赤色放電セルＣ（Ｒ）に対向する部分に中央部分Ｐ１および中間部分Ｐ２におけるような拡腹部は形成されておらず、行方向の幅ｄ１の列電極本体部Ｄ（Ｒ）ａのみによって構成されている。
【００４０】
列方向に並んだ緑色放電セルＣ（Ｇ）に対向する列電極Ｄ（Ｇ）も、同様に、パネル表示領域Ｐの中央部分Ｐ１において、各緑色放電セルＣ（Ｇ）に対向する部分毎に、行電極Ｙの透明電極Ｙｂの幅広の先端部分に対向する部分に、列方向に帯状に延びる列電極本体部Ｄ（Ｇ）ａの行方向の幅よりも大きい行方向の幅を有する拡幅部Ｄ（Ｇ）ｂが形成されている。
【００４１】
さらに、この列電極Ｄ（Ｇ）には、図３のパネル表示領域Ｐの中間部分Ｐ２において、各緑色放電セルＣ（Ｇ）に対向する部分毎に、行電極Ｙの透明電極Ｙｂの幅広の先端部分に対向する部分に、中央部分Ｐ１における拡幅部Ｄ（Ｇ）ｂよりも面積が小さい拡幅部Ｄ（Ｇ）ｃが形成されている。
【００４２】
なお、この拡幅部Ｄ（Ｇ）ｃは透明電極Ｙｂとの対向面積が小さくなればよく、このために、拡幅部Ｄ（Ｇ）ｃの行方向の幅と列方向の幅の一方または双方が、中央部分Ｐ１における拡幅部Ｄ（Ｇ）ｂの行方向の幅または列方向の幅よりも小さくなっていればよい（図示の例では、行方向および列方向ともに中央部分Ｐ１におけるよりも幅が小さくなっている）。
【００４３】
そして、この列電極Ｄ（Ｇ）の図４のパネル表示領域Ｐの周縁部分Ｐ３に位置する部分は、各赤色放電セルＣ（Ｇ）に対向する部分に中央部分Ｐ１および中間部分Ｐ２におけるような拡腹部は形成されておらず、行方向の幅の列電極本体部Ｄ（Ｇ）ａのみによって構成されている。
【００４４】
なお、この列電極Ｄ（Ｇ）の拡幅部Ｄ（Ｇ）ｂ，Ｄ（Ｇ）ｃの行方向の幅および列方向の幅は、それぞれ列電極Ｄ（Ｒ）の拡幅部Ｄ（Ｒ）ｂ，Ｄ（Ｒ）ｃと同一の大きさにしても良いが、それぞれ対向する蛍光体層６を形成する赤，緑の蛍光材料の放電特性に応じて設定するようにするのが好ましい。
【００４５】
上記ＰＤＰは、駆動時に、行電極Ｙにリセットパルスが印加されて、各放電セルＣ（Ｒ），Ｃ（Ｇ），Ｃ（Ｂ）において列電極Ｄ（Ｒ），Ｄ（Ｇ），Ｄ（Ｂ）との間で一斉に対向放電であるリセット放電が発生されて、全放電セルにおいて、対向する部分の誘電体層に壁電荷を形成、または、誘電体層の壁電荷を消去する初期化が行われる。
【００４６】
次に、行電極Ｙに走査パルスが印加され、列電極Ｄ（Ｒ），Ｄ（Ｇ），Ｄ（Ｂ）に選択的にデータ・パルスが印加されて、行電極Ｙの透明電極Ｙａと列電極Ｄ（Ｒ），Ｄ（Ｇ），Ｄ（Ｂ）との間で選択的に対向放電であるアドレス放電が発生されて、放電セルに対向する部分の誘電体層２に壁電荷が形成された発光セルと、誘電体層２の壁電荷が消去された非発光セルとが、パネルのパネル表示領域Ｐに映像信号の画像データに対応して分布される。
【００４７】
この後、行電極対（Ｘ，Ｙ）の行電極ＸとＹに交互にサステイン・パルスが印加されて、発光セル内において誘電体層２に形成された壁電荷によって、行電極Ｘ，Ｙの透明電極ＸｂとＹｂ間で放電ギャップｇを介して、面放電であるサステイン放電が発生され、この放電によって放電ガス中のキセノンから発生する真空紫外線によって赤，緑，青の三原色の蛍光体層６が励起されて発光することにより、パネル表示領域Ｐにマトリクス表示による画像が形成される。
【００４８】
このＰＤＰは、上記のような駆動時に、リセット・パルスおよび走査パルス，データ・パルスの印加のタイミングと大きさが任意に設定されることにより、行電極Ｙの透明電極Ｙｂと列電極Ｄ（Ｒ），Ｄ（Ｇ），Ｄ（Ｂ）間で発生される対向放電であるリセット放電およびアドレス放電によって蛍光体層６を発光させて、例えば黒輝度表示等の低階調表示が行われる。
【００４９】
このとき、列電極と対向放電を発生させる行電極との対向面積がパネルの全面に亘って同じ場合には、前述したように、誘電体層を被覆する保護層（ＭｇＯ層）の２次電子放出特性のパネル面内における斑などに起因すると推測される対向放電の面内ばらつきによって、パネル面の全面に亘って均一な低階調表示を行うことが出来ない。
【００５０】
上記ＰＤＰは、パネルの表示領域Ｐ（図１参照）の対向放電の強度が最も弱い中央部分Ｐ１において、列電極Ｄ（Ｒ）およびＤ（Ｇ）の行電極Ｙの透明電極Ｙｂに対向する部分にそれぞれ拡幅部Ｄ（Ｒ）ｂ，Ｄ（Ｇ）ｂが形成されて、透明電極Ｙｂとの対向面積が周縁部分Ｐ３におけるよりも大きくなっており、対向放電の強度が周縁部分Ｐ３よりも弱く中央部分Ｐ１よりも強い中間部分Ｐ２において、列電極Ｄ（Ｒ）およびＤ（Ｇ）の透明電極Ｙｂに対向する部分に、それぞれ、中央部分Ｐ１における拡幅部Ｄ（Ｒ）ｂ，Ｄ（Ｇ）ｂよりは透明電極Ｙｂとの対向面積が小さい拡幅部Ｄ（Ｒ）ｃ，Ｄ（Ｇ）ｃが形成されて、透明電極Ｙｂとの対向面積が周縁部分Ｐ３におけるよりも大きく、中央部分Ｐ１におけるよりも小さくなっている。
【００５１】
なお、列電極Ｄ（Ｒ），Ｄ（Ｇ）の拡幅部Ｄ（Ｒ）ｂ，Ｄ（Ｇ）ｂおよび拡幅部Ｄ（Ｒ）ｃ，Ｄ（Ｇ）ｃの大きさは、それぞれ、行電極Ｙの透明電極Ｙｂとの間で発生される対向放電（リセット放電，アドレス放電）の放電強度が、パネル表示領域Ｐの全面に亘ってほぼ均一になるように任意に設定される。
【００５２】
これによって、パネル表示領域Ｐにおける対向放電の放電強度の面内ばらつきが補正されて、行電極Ｙの透明電極Ｙｂと各列電極Ｄ（Ｒ），Ｄ（Ｇ），Ｄ（Ｂ）間での対向放電の放電強度がパネル表示領域Ｐの全面に亘ってほぼ均一化されるので、この対向放電によって行われる輝度表示（特に黒輝度等の低階調表示）に面内斑が発生するのが抑制されて、ＰＤＰの輝度表示品質の向上を図ることが出来るようになる。
【００５３】
そして、上記ＰＤＰによれば、列電極側において透明電極Ｙｂとの対向面積をパネル表示領域Ｐの各部分における対向放電の放電強度に対応した大きさに調整するようにしたことによって、行電極側で対向面積の調整を行う場合に比べて、行電極間で行われる面放電であるサステイン放電の放電強度が、対向放電の放電強度の均一化によって影響を受ける虞が無い。
【００５４】
なお、上記ＰＤＰにおいて、拡幅部が赤色放電セルＣ（Ｒ）と緑色放電セルＣ（Ｇ）に対向する列電極Ｄ（Ｒ）とＤ（Ｇ）にのみ形成されて、青色放電セルＣ（Ｂ）に対向する列電極Ｄ（Ｂ）に形成されていないのは、青色放電セルＣ（Ｂ）の蛍光体層６を形成する青色の蛍光材料の放電特性によって、青色放電セルＣ（Ｂ）内で発生される行電極Ｙと列電極Ｄ（Ｂ）間の対向放電の放電強度のパネル表示領域Ｐにおける面内ばらつきが、赤色放電セルＣ（Ｒ）および緑色放電セルＣ（Ｇ）における場合に比べて非常に小さいためである。
【００５５】
しかしながら、この青色放電セルＣ（Ｂ）内で発生される行電極Ｙと列電極Ｄ（Ｂ）間の対向放電の放電強度のばらつきが無視出来ないような場合には、後述するように、列電極Ｄ（Ｂ）にも列電極Ｄ（Ｒ），Ｄ（Ｇ）と同様の拡幅部を形成するようにしても良い。
【００５６】
また、上記実施例においては、パネル表示領域Ｐを図１のように三つの部分に区分してそれぞれの部分に対応して列電極に拡幅部を形成しているが、この例に限らず、パネル表示領域Ｐを二つまたは四つ以上の部分に区分して、それぞれの部分に対応して列電極に拡幅部を形成するようにしても良い。
【００５７】
パネル表示領域Ｐの区分数が多いほど、さらにパネルの全面に亘って対向放電の放電強度が均一化されて輝度階調表示品質が向上されるようになる。
【実施例２】
【００５８】
図６は、この発明の第２実施例のＰＤＰのパネル表示領域Ｐの中央部分Ｐ１（図１参照）のパネル構成を示す正面図である。
【００５９】
前述した第１実施例のＰＤＰにおいては、列電極Ｄ（Ｒ），Ｄ（Ｇ）の行電極Ｙの透明電極Ｙｂに対向する部分にのみ拡幅部が形成されている例が示されているが、この第２実施例のＰＤＰにおいては、列電極Ｄ１（Ｒ），Ｄ１（Ｇ）に形成された拡幅部が、行電極Ｙの透明電極Ｙｂのみならず行電極Ｘの透明電極Ｘｂにも対向する大きさとなるように成形されている。
【００６０】
すなわち、図６において、それぞれ、列方向に並んだ赤色放電セルＣ（Ｒ），緑色放電セルＣ（Ｇ）に対向する列電極Ｄ１（Ｒ），Ｄ１（Ｇ）には、パネル表示領域Ｐの中央部分Ｐ１において、各赤色放電セルＣ（Ｒ），Ｃ（Ｇ）に対向する部分毎に、行電極Ｘの透明電極Ｘｂの幅広の先端部分および行電極Ｙの透明電極Ｙｂの幅広の先端部分に対向する部分に、列方向に帯状に延びる本体部Ｄ１（Ｒ）ａ，Ｄ１（Ｇ）ａの行方向の幅よりも大きい行方向の幅を有する拡幅部Ｄ１（Ｒ）ｂ，Ｄ１（Ｒ）ｂが形成されている。
【００６１】
そして、この列電極Ｄ１（Ｒ），Ｄ１（Ｇ）には、パネル表示領域Ｐの中間部分Ｐ２（図１参照）において各赤色放電セルＣ（Ｒ），Ｃ（Ｇ）に対向する部分（図示せず）に、中央部分Ｐ１におけるよりも面積が小さい拡幅部が形成されている。
【００６２】
この列電極Ｄ１（Ｒ），Ｄ１（Ｇ）のパネル表示領域Ｐの周縁部分Ｐ３（図１参照）において各赤色放電セルＣ（Ｒ），緑色放電セルＣ（Ｇ）に対向する部分は、第１実施例の場合と同様に、行方向の幅が一定の本体部Ｄ１（Ｒ）ａ，Ｄ１（Ｇ）ａのみによって構成されている。
【００６３】
また、列方向に並んだ青色放電セルＣ（Ｂ）に対向する列電極Ｄ１（Ｂ）は、第１実施例の場合と同様に、パネル表示領域Ｐの中央部分Ｐ１および中間部分Ｐ２，周縁部分Ｐ３の全面に亘って、行方向の幅が一定の帯状に成形されている。
【００６４】
ＰＤＰの他の部分の構成および列電極Ｄ１（Ｒ），Ｄ１（Ｇ）のパネル表示領域Ｐの中央部分Ｐ１および中間部分Ｐ２における拡幅部の面積の設定等は、第１実施例の場合と同様である。
【００６５】
そして、このＰＤＰにおいても、列電極Ｄ１（Ｒ），Ｄ１（Ｇ）に形成された拡幅部によってパネル表示領域Ｐにおける対向放電の放電強度の面内ばらつきが補正されて、行電極Ｙの透明電極Ｙｂと各列電極Ｄ１（Ｒ），Ｄ１（Ｇ），Ｄ１（Ｂ）間での対向放電の放電強度がパネル表示領域Ｐの全面に亘ってほぼ均一化されるので、この対向放電によって行われる輝度表示（特に黒輝度等の低階調表示）に面内斑が発生するのが抑制されて、ＰＤＰの輝度表示品質の向上を図ることが出来るようになる。
【００６６】
そして、上記ＰＤＰによれば、列電極側において透明電極Ｙｂとの対向面積をパネル表示領域Ｐの各部分の対向放電強度に対応した大きさに調整するようにしたことによって、行電極側で対向面積の調整を行う場合に比べて、行電極間で行われる面放電であるサステイン放電の放電強度が、対向放電の放電強度の均一化によって影響を受ける虞が無い。
【実施例３】
【００６７】
図７は、この発明の第３実施例のＰＤＰのパネル表示領域Ｐの中央部分Ｐ１（図１参照）のパネル構成を示す正面図である。
【００６８】
前述した第１実施例のＰＤＰにおいては、列電極Ｄ（Ｒ），Ｄ（Ｇ）の行電極Ｙの透明電極Ｙｂに対向する部分に拡幅部が形成されている例が示されているが、この第３実施例のＰＤＰにおいては、パネル表示領域Ｐの中央部分Ｐ１において、列電極Ｄ２（Ｒ），Ｄ２（Ｇ）の赤色放電セルＣ（Ｒ），緑色放電セルＣ（Ｇ）に対向する部分の全体が、パネル表示領域Ｐの周縁部分Ｐ３におけるよりも行方向の幅が広い拡幅部Ｄ２（Ｒ）ｂ，Ｄ２（Ｒ）ｂによって構成されている。
【００６９】
さらに、この列電極Ｄ２（Ｒ），Ｄ２（Ｇ）のパネル表示領域Ｐの中間部分Ｐ２（図１参照）において各赤色放電セルＣ（Ｒ），Ｃ（Ｇ）に対向する部分（図示せず）も、その全体が、中央部分Ｐ１におけるよりも行方向の幅が小さい拡幅部によって構成されている。
【００７０】
この列電極Ｄ２（Ｒ），Ｄ２（Ｇ）のパネル表示領域Ｐの周縁部分Ｐ３（図１参照）において各赤色放電セルＣ（Ｒ），Ｃ（Ｇ）に対向する部分は、第１実施例の場合と同様に、行方向の幅が一定の本体部のみによって構成されている。
【００７１】
列方向に並んだ青色放電セルＣ（Ｂ）に対向する列電極Ｄ２（Ｂ）は、第１実施例の場合と同様に、パネル表示領域Ｐの中央部分Ｐ１および中間部分Ｐ２，周縁部分Ｐ３の全面に亘って、行方向の幅が一定の帯状に成形されている。
【００７２】
ＰＤＰの他の部分の構成および列電極Ｄ２（Ｒ），Ｄ２（Ｇ）のパネル表示領域Ｐの中央部分Ｐ１および中間部分Ｐ２における拡幅部の面積の設定等は、第１実施例の場合と同様である。
【００７３】
そして、このＰＤＰにおいても、列電極Ｄ２（Ｒ），Ｄ２（Ｇ）に形成された拡幅部によってパネル表示領域Ｐにおける対向放電の放電強度の面内ばらつきが補正されて、行電極Ｙの透明電極Ｙｂと各列電極Ｄ２（Ｒ），Ｄ２（Ｇ），Ｄ２（Ｂ）間での対向放電の放電強度がパネル表示領域Ｐの全面に亘ってほぼ均一化されるので、この対向放電によって行われる輝度表示（特に黒輝度等の低階調表示）に面内斑が発生するのが抑制されて、ＰＤＰの輝度表示品質の向上を図ることが出来るようになる。
【００７４】
そして、上記ＰＤＰによれば、列電極側において透明電極Ｙｂとの対向面積をパネル表示領域Ｐの各部分における対向放電の放電強度に対応した大きさに調整するようにしたことによって、行電極側で対向面積の調整を行う場合に比べて、行電極間で行われる面放電であるサステイン放電の放電強度が、対向放電の放電強度の均一化によって影響を受ける虞が無い。
【実施例４】
【００７５】
図８は、この発明の第４実施例のＰＤＰのパネル表示領域Ｐの中央部分Ｐ１（図１参照）のパネル構成を示す正面図である。
【００７６】
前述した第１ないし３実施例の各ＰＤＰにおいては、列電極Ｄ（Ｒ），Ｄ（Ｇ）にのみ拡幅部が形成されている例が示されているが、この第４実施例のＰＤＰにおいては、青色放電セルＣ（Ｂ）に対向する列電極にも拡幅部が形成されている。
【００７７】
すなわち、図８において、列方向に並んだ青色放電セルＣ（Ｂ）に対向する列電極Ｄ３（Ｂ）には、パネル表示領域Ｐの中央部分Ｐ１において、各青色放電セルＣ（Ｂ）に対向する部分毎に、行電極Ｙの透明電極Ｙｂの幅広の先端部分に対向する部分に、列方向に帯状に延びる本体部Ｄ３（Ｂ）ａの行方向の幅よりも大きい行方向の幅を有する拡幅部Ｄ３（Ｂ）ｂが形成されている。
【００７８】
そして、この列電極Ｄ３（Ｂ）には、パネル表示領域Ｐの中間部分Ｐ２（図１参照）において各青色放電セルＣ（Ｂ）に対向する部分（図示せず）に、中央部分Ｐ１におけるよりも面積が小さい拡幅部が形成されている。
【００７９】
この列電極Ｄ３（Ｂ）のパネル表示領域Ｐの周縁部分Ｐ３（図１参照）において各青色放電セルＣ（Ｂ）に対向する部分は、行方向の幅が一定の本体部Ｄ３（Ｂ）ａのみによって構成されている。
【００８０】
なお、赤色放電セルＣ（Ｒ）および緑色放電セルＣ（Ｇ）に対向する他の列電極について、図８には、第２実施例の場合と同じ列電極Ｄ１（Ｒ），Ｄ１（Ｇ）が記載されているが、この赤色放電セルＣ（Ｒ）および緑色放電セルＣ（Ｇ）に対向する列電極は、第１実施例の場合と同じ列電極Ｄ（Ｒ），Ｄ（Ｇ）または第３実施例の場合と同じ列電極Ｄ２（Ｒ），Ｄ２（Ｇ）を備えるようにしても良い。
【００８１】
ＰＤＰの他の部分の構成および列電極Ｄ３（Ｂ）のパネル表示領域Ｐの中央部分Ｐ１および中間部分Ｐ２における拡幅部の面積の設定等は、第１実施例の列電極Ｄ（Ｒ），Ｄ（Ｇ）の場合と同様である。
【００８２】
このＰＤＰは、第１ないし第３実施例のＰＤＰと同様の技術的効果を発揮することが出来るとともに、第１ないし第３実施例のＰＤＰにおいて青色放電セルＣ（Ｂ）内で発生される行電極Ｙと列電極Ｄ（Ｂ）間で発生される対向放電の放電強度のばらつきが無視出来ないような場合に、青色放電セルＣ（Ｂ）においても、パネル表示領域Ｐの全面に亘って対向放電の放電強度の均一化を図ることが出来るようになる。
【００８３】
上記各実施例のＰＤＰは、放電空間を介して対向される第１基板および第２基板によってパネル面が構成され、第１基板の背面側に行方向に延び列方向に並設された複数の行電極対が設けられ、第２基板の第１基板と対向する側に、列方向に延び行方向に並設されて行電極対と交差する部分の放電空間にそれぞれ単位発光領域を構成するとともに各単位発光領域内において行電極対の一方の行電極との間で放電空間を介した対向放電を発生させるための複数の列電極が設けられているＰＤＰにおいて、前記行方向に並設された複数の列電極のうち所要の列電極の一方の行電極に対向する部分の面積が、単位発光領域のパネル面内の位置に対応して異なる大きさに設定されているＰＤＰを、その上位概念の実施形態としている。
【００８４】
この上位概念を構成する実施形態のＰＤＰは、例えば、リセット放電やアドレス放電（選択消去放電）などの行電極対の一方の行電極と列電極間で発生される対向放電のみが生じる黒輝度表示を行うＰＤＰにおいて、従来はパネル面内の単位発光領域の位置によって対向放電の放電強度が異なるような場合に、行方向に並設された複数の列電極のうち所要の列電極の一方の行電極に対向する部分の面積が単位発光領域のパネル面内の位置に対応して異なる大きさに設定されるので、対向放電の放電強度の面内ばらつきを補正して、この対向放電の放電強度をパネル面の全面に亘ってほぼ均一にすることが出来、これによって、この対向放電によって行われる輝度表示に面内斑が発生するのを抑制して、ＰＤＰの輝度表示品質の向上を図ることが出来るようになる。
【図面の簡単な説明】
【００８５】
【図１】ＰＤＰのパネル表示領域内における対向放電の放電強度分布を示す説明図である。
【図２】この発明によるＰＤＰの第１実施例におけるパネル表示領域の中央部分のパネル構成を示す正面図である。
【図３】同パネル表示領域の中間部分のパネル構成を示す正面図である。
【図４】同パネル表示領域の周縁部分のパネル構成を示す正面図である。
【図５】図２のＶ−Ｖ線における断面図である。
【図６】この発明によるＰＤＰの第２実施例におけるパネル表示領域の中央部分のパネル構成を示す正面図である。
【図７】この発明によるＰＤＰの第３実施例におけるパネル表示領域の中央部分のパネル構成を示す正面図である。
【図８】この発明によるＰＤＰの第４実施例におけるパネル表示領域の中央部分のパネル構成を示す正面図である。
【符号の説明】
【００８６】
１        …前面ガラス基板（第１基板）
２        …誘電体層
３        …背面ガラス基板（第２基板）
６        …蛍光体層
Ｃ        …放電セル（単位発光領域）
Ｃ（Ｒ）  …赤色放電セル（単位発光領域）
Ｃ（Ｇ）  …緑色放電セル（単位発光領域）
Ｃ（Ｂ）  …青色放電セル（単位発光領域）
Ｄ，Ｄ（Ｒ），Ｄ（Ｇ），Ｄ（Ｂ），Ｄ１（Ｒ），Ｄ１（Ｇ），Ｄ１（Ｂ），Ｄ２（    Ｒ），Ｄ２（Ｇ），Ｄ２（Ｂ），Ｄ３（Ｂ）        …列電極
Ｄ（Ｒ）ａ，Ｄ（Ｇ）ａ，Ｄ（Ｂ）ａ，Ｄ１（Ｒ）ａ，Ｄ１（Ｇ）ａ，Ｄ３（Ｂ）ａ                                       …列電極本体部
Ｄ（Ｒ）ｂ，Ｄ（Ｒ）ｃ，Ｄ（Ｇ）ｂ，Ｄ（Ｇ）ｃ，Ｄ１（Ｒ）ｂ，Ｄ１（Ｇ）ｂ，    Ｄ２（Ｒ）ｂ，Ｄ２（Ｇ）ｂ，Ｄ３（Ｂ）ｂ   …拡幅部
Ｘ，Ｙ      …行電極
Ｘａ，Ｙａ  …バス電極（電極本体部）
Ｘｂ，Ｙｂ  …透明電極（電極突出部）
ｇ          …ギャップ
【図１】
2008171738.tif 000003
【図２】
2008171738.tif 000004
【図３】
2008171738.tif 000005
【図４】
2008171738.tif 000006
【図５】
2008171738.tif 000007
【図６】
2008171738.tif 000008
【図７】
2008171738.tif 000009
【図８】
2008171738.tif 000010